(57)【要約】【課題】  蓋本体の浮き上がりを簡易に防止し、紙箱の外観と強度を損なうことなく、閉蓋性を確保することのできる粉体洗剤用紙箱を簡易に製造すること。【解決手段】  粉体洗剤用紙箱１０の製造方法であって、蓋本体３１をヒンジ片３２に対し閉蓋方向に付勢する閉蓋習性を付与する、予備折り工程を有し、該予備折り工程は、蓋本体３１の展開紙を、ヒンジ片３２を平板４１から突出させて設けてある折り型４２に当てたのち、蓋本体３１を押え板４３と平板４１との間に挟圧する予備折り工程であって、上記押さえ板を折り曲げ部３３より離した予備折り工程であるもの。【選択図】  図３
2008012928.tif 000002
【特許請求の範囲】
【請求項１】
蓋本体の後板に折り曲げ部を介して連設されるヒンジ片の内側面が箱体の背面に貼り付けてられている紙箱を組み立てる、粉体洗剤用紙箱の製造方法であって、
前板、後板、両側板及び天板を有する蓋本体の後板とヒンジ片との間に形成された罫線による折り曲げ部に、蓋本体を折り曲げ部を介して閉蓋方向側に折り曲げて蓋本体をヒンジ片に対し閉蓋方向に付勢する閉蓋習性を付与する、予備折り工程を有し、
該予備折り工程は、蓋本体の展開紙を、ヒンジ片を平板から突出させて設けてある折り型に当てたのち、蓋本体を押え板と平板との間に挟圧する予備折り工程であって、上記押さえ板を折り曲げ部より離した予備折り工程である粉体洗剤用紙箱の製造方法。
【請求項２】
上記罫線はリード罫線もしくはミシン目線である請求項１記載の粉体洗剤用紙箱の製造方法。
【発明の詳細な説明】
【技術分野】
【０００１】
本発明は粉体洗剤用に供して好適な粉体洗剤用紙箱の製造方法に関する。
【背景技術】
【０００２】
洗剤容器では、廃棄時の焼却性のために紙箱を用いている。特許文献１に記載の如く、箱体の開口を蓋で覆う紙箱で、箱体の開口縁部の外側面に接着してあった係止舌片を剥離して起こし、蓋の内側に設けてある係止凹部を閉蓋時に上記起こされた係止舌片に係止可能としている。これにより、蓋が閉じ位置から開き方向へ浮き上がるのを防止し、洗剤の吸湿固化を回避可能としている。
【特許文献１】特許2656903号
【発明の開示】
【発明が解決しようとする課題】
【０００３】
上記先行技術は、箱体の外側面に接着してあった係止舌片を剥離するものであり、この剥離痕が箱体の外観を損なう場合があった。また、係止舌片を剥離するので、箱体と係止舌片の強度低下を招いていた。
【０００４】
本発明の課題は、蓋本体の浮き上がりを簡易に防止し、紙箱の外観と強度を損なうことなく、閉蓋性を確保することのできる粉体洗剤用紙箱を簡易に製造することにある。
【課題を解決するための手段】
【０００５】
請求項１の発明は、蓋本体の後板に折り曲げ部を介して連設されるヒンジ片の内側面が箱体の背面に貼り付けてられている紙箱を組み立てる、粉体洗剤用紙箱の製造方法であって、前板、後板、両側板及び天板を有する蓋本体の後板とヒンジ片との間に形成された罫線による折り曲げ部に、蓋本体を折り曲げ部を介して閉蓋方向側に折り曲げて蓋本体をヒンジ片に対し閉蓋方向に付勢する閉蓋習性を付与する、予備折り工程を有し、該予備折り工程は、蓋本体の展開紙を、ヒンジ片を平板から突出させて設けてある折り型に当てたのち、蓋本体を押え板と平板との間に挟圧する予備折り工程であって、上記押さえ板を折り曲げ部より離した予備折り工程であるようにしたものである。
【発明を実施するための最良の形態】
【０００６】
粉体洗剤用紙箱１０は、図１に示す如く、箱体２０と蓋３０を有する。箱体２０は、紙製の又は紙を主材料としプラスチックフィルムがラミネートされた素材を折り曲げて組立てたものであり、正面板２１Ａ、背面板２１Ｂ、両側板２１Ｃ、底板２１Ｄを有し、上面に開口２１Ｅを有する。
【０００７】
蓋３０は、箱体２０と同一の素材を折り曲げて組立てたものであり、蓋本体３１を構成する、前板３１Ａ、後板３１Ｂ、両側板３１Ｃ、天板３１Ｄを有する。蓋３０は、ヒンジ片３２を折り曲げ部３３を介して後板３１Ｂに連設し、該ヒンジ片３２が箱体２０の背面板２１Ｂに接着された状態で箱体２０の開口２１Ｅを開閉可能に覆う。蓋本体３１は、前板３１Ａの下縁中央部につまみ片３１Ｅを突出し、つまみ片３１Ｅの裏面を箱体２０の正面板２１Ａの外面に貼り付け、紙箱１０の流通過程で、箱体２０の開口２１Ｅを封止する。
【０００８】
紙箱１０は、箱体２０に対する蓋３０の閉蓋性を確保するため、蓋本体３１をヒンジ片３２に対し閉蓋方向に付勢する閉蓋習性を、蓋本体３１とヒンジ片３２の折り曲げ部３３に付与されている。紙箱１０において、蓋本体３１とヒンジ片３２の折り曲げ部３３に閉蓋習性を付与することで、折り曲げ部３３が蓋本体３１を箱体２０の開口２１Ｅに全閉する方向のモーメントＭを該蓋本体３１に付与され、該モーメントＭにより蓋本体３１の箱体２０からの浮き上がりを防止される（図１（Ｂ））。折り曲げ部３３に閉蓋習性が付与されていない場合、蓋３０を開いた時に蓋本体３１とヒンジ片３２の折り曲げ部３３に付与された開きぐせ（開蓋習性）が、蓋本体３１を箱体２０から浮き上がらせる（図１（Ｃ））。
【０００９】
蓋本体３１とヒンジ片３２の折り曲げ部３３に閉蓋習性を付与すると、直立させたヒンジ片３２に対する蓋本体３１の取付角度は、図２（Ａ）に示す如くに顕著な鋭角状となり、蓋本体３１は大きく前下がりする。折り曲げ部３３に閉蓋習性を付与していない場合は、直立させたヒンジ片３２に対する蓋本体３１の取付角度は、図２（Ｂ）に示す如く略直角状となり、蓋本体３１は大きく前下がりすることがない。
【００１０】
尚、紙箱１０は、箱体２０の開口２１Ｅを封止する封緘紙を、紙箱１０の流通過程で、正面板２１Ａ、背面板２１Ｂ、両側板２１Ｃの全開口縁部の外側面に貼り付け、内容物の粉体洗剤を密封してある。
【００１１】
図３に製函機による蓋３０の折り曲げ状態を示す。紙箱１０は以下の手順で製造される。
【００１２】
(1)蓋３０の展開紙の天板３１Ｄ部分を吸着具４０により吸着し、長辺予備折り位置と、短辺予備折り位置に順次又は同時に位置付ける。長辺予備折り位置では、前板３１Ａと後板３１Ｂを天板３１Ｄとの境界に設けてある罫線に沿って、該天板３１Ｄに対し立上げて予備折りする。短辺予備折り位置では、両側板３１Ｃを天板３１Ｄとの境界に設けてある罫線に沿って、該天板３１Ｄに対し立上げて予備折りする。
【００１３】
(2)吸着具４０により吸着している蓋３０の展開紙を、図３に示す如く、ヒンジ片予備折り位置に位置付ける。ヒンジ片３２を平板４１に設けてある折り型４２に当て、前板３１Ａ、後板３１Ｂ、天板３１Ｄの両端部を押え板４３で平板４１との間に挟圧することにより、ヒンジ片３２を後板３１Ｂとの境界に設けてあるリード罫線、ミシン目線等の罫線に沿って、該後板３１Ｂに対し立上げ、蓋本体３１とヒンジ片３２の折り曲げ部３３に前述した閉蓋習性を付与するように予備折りする。
【００１４】
(3)前述(1)で予備折りした前板３１Ａ、後板３１Ｂ、両側板３１Ｃを天板３１Ｄに対し立上げ、両側板３１Ｃの両端部に設けた糊付け片３４に前板３１Ａと後板３１Ｂの両端部の裏面を接着し、蓋本体３１を製作する。
【００１５】
(4)蓋本体３１に連設してあるヒンジ片３２を、別途製作済の箱体２０の背面板２１Ｂに接着し、紙箱１０を得る。
【００１６】
本実施形態によれば以下の作用がある。
（請求項１、２に対応する作用）
(a)蓋本体３１とヒンジ片３２の折り曲げ部３３に、蓋本体３１を閉蓋方向に付勢する閉蓋習性を付与した。従って、箱体２０に設けられた蓋本体３１は、格別な専用閉蓋機構の付加によることなく、閉蓋方向に付勢されて箱体２０の開口２１Ｅまわりに被さり、箱体２０からの浮き上がりが簡易に防止できる。これにより、紙箱１０の閉蓋性を確保し、洗剤の吸湿固化を防止する。本発明は特に洗剤のように密閉することが好ましい内容物を保存するための箱に好適である。
【００１７】
(b)紙箱１０に格別な専用閉蓋機構を付加するものでないから、紙箱１０の外観と強度を損なうことがないし、箱体２０と蓋３０の強度低下を招くこともない。
【図面の簡単な説明】
【００１８】
【図１】図１は紙箱とその開閉状態を示す模式図である。
【図２】図２は蓋の閉蓋習性を示す模式図である。
【図３】図３は蓋の折り曲げ工程を示す模式図である。
【符号の説明】
【００１９】
１０  紙箱
２０  箱体
３１  蓋本体
３１Ａ  前板
３１Ｂ  後板
３１Ｃ  両側板
３１Ｄ  天板
３２  ヒンジ片
３３  折り曲げ部
４１  平板
４２  折り型
４３  押え板
【図１】
2008012928.tif 000003
【図２】
2008012928.tif 000004
【図３】
2008012928.tif 000005